(57)【特許請求の範囲】
【請求項１】
ダブルバスレフ型スピーカーシステムにおいて、
基台に基台よりも薄い板厚の一対の響板を設けてエンクロージャを形成するとともに、一対の響板の間に音道孔を有するバスバーを介設して、一対の響板を有するエンクロージャの内部空間を一対の響板を有する第１音響空間と第２音響空間とに区画し、第１音響空間に設けたスピーカーユニットから発せられた低音を第１音響空間及び第２音響空間の内部で共鳴させて第２音響空間に設けたダクト孔から放出し、第１音響空間又は／及び第２音響空間は、一対の響板を魂柱を介して接続したことを特徴とするダブルバスレフ型スピーカーシステム。
【発明の詳細な説明】
【技術分野】
【０００１】
本発明は、ダブルバスレフ型スピーカーシステムに関するものである。
【背景技術】
【０００２】
従来より、スピーカーユニットをエンクロージャに取付けたスピーカーシステムにおいては、スピーカーユニットから発せられた低音の音圧を増大させるために、ダブルバスレフ型スピーカーシステムが知られている。
【０００３】
従来のダブルバスレフ型スピーカーシステムでは、エンクロージャを同一の厚さの板で箱型状に形成するとともに、エンクロージャの前面にスピーカーユニットを取付ける一方、エンクロージャの後面に開口を形成し、これらスピーカーユニットと開口との間に同一厚の仕切板を設けた構造となっている（たとえば、特許文献１参照。）。
【先行技術文献】
【特許文献】
【０００４】
【特許文献１】特開２００１−３３３４７６号公報
【発明の概要】
【発明が解決しようとする課題】
【０００５】
ところが、従来のダブルバスレフ型スピーカーシステムでは、エンクロージャが同一の厚さの板で形成されているために、低音の共鳴作用が小さくなっていた。
【０００６】
そのため、従来のダブルバスレフ型スピーカーシステムでは、低音の音圧が低くなってしまい、高音から低音まで違和感なく響かせることができなかった。
【課題を解決するための手段】
【０００７】
そこで、請求項１に係る本発明では、ダブルバスレフ型スピーカーシステムにおいて、基台に基台よりも薄い板厚の一対の響板を設けてエンクロージャを形成するとともに、一対の響板の間に音道孔を有するバスバーを介設して、一対の響板を有するエンクロージャの内部空間を一対の響板を有する第１音響空間と第２音響空間とに区画し、第１音響空間に設けたスピーカーユニットから発せられた低音を第１音響空間及び第２音響空間の内部で共鳴させて第２音響空間に設けたダクト孔から放出することにした。
【０００８】
また、請求項１に係る本発明では、前記第１音響空間又は／及び第２音響空間は、一対の響板を魂柱を介して接続することにした。
【発明の効果】
【００１０】
そして、本発明では、以下に記載する効果を奏する。
【００１１】
すなわち、本発明では、ダブルバスレフ型スピーカーシステムにおいて、基台に基台よりも薄い板厚の一対の響板を設けてエンクロージャを形成するとともに、一対の響板の間に音道孔を有するバスバーを介設して、一対の響板を有するエンクロージャの内部空間を一対の響板を有する第１音響空間と第２音響空間とに区画し、第１音響空間に設けたスピーカーユニットから発せられた低音を第１音響空間及び第２音響空間の内部で共鳴させて第２音響空間に設けたダクト孔から放出することにしているために、一対の響板を有する第１音響空間及び第２音響空間で低音を共鳴させることができるので、低音の共鳴作用が大きく、低音の音圧を高くすることができ、高音から低音まで違和感なく豊かに響かせることができる。
【００１２】
特に、第１音響空間又は／及び第２音響空間において一対の響板を魂柱を介して接続することにした場合には、一対の響板を協働させることができ、低音の共鳴作用をより一層増大させることができる。
【図面の簡単な説明】
【００１４】
【図１】本発明に係るスピーカーシステムを示す斜視図。
【図２】同透視図。
【図３】同正面断面図。
【図４】同側面断面図。
【発明を実施するための形態】
【００１５】
以下に、本発明に係るスピーカーシステムの具体的な構成について図面を参照しながら説明する。
【００１６】
図１〜図４に示すように、スピーカーシステム１は、スピーカーユニット２を略箱型状のエンクロージャ３に取付けている。
【００１７】
エンクロージャ３は、縦長箱枠状の基台４に前後一対の響板5,6を取付けて略縦長矩形箱型状に形成している。
【００１８】
基台４は、縦長矩形板状の左右側板7,8を左右に間隔をあけて上下に平行に伸延させ、左右側板7,8の上端部間に天板９と取付け、左右側板7,8の中途部間に仕切板としてのバスバー10を取付け、左右側板7,8の下端部間に底板11を取付けている。天板９の下面及び底板11の上面には補強板12,13を取付けている。なお、左右側板7,8は、１枚の板で形成してもよく、また、たとえば、柾目板と木目板とを張り合わせるなど、複数枚の板を貼着して形成してもよい。
【００１９】
バスバー10には、中央部に上下に貫通する矩形状の音道孔14を形成するとともに、音道孔14の周囲に上方へ向けて矩形管状のダクト15を取付けている。なお、音道孔14やダクト15のサイズは使用者の好み等に応じて適宜調整する。
【００２０】
底板11には、中央部に上下に貫通する矩形状のダクト孔16を形成するとともに、ダクト孔16の周囲に上方ヘ向けて矩形管状のダクト17を取付けている。なお、ダクト17は、補強板13に形成した貫通孔に挿通させている。ダクト孔16やダクト17のサイズは使用者の好み等に応じて適宜調整する。
【００２１】
エンクロージャ３は、左右側板7,8に天板９とバスバー10と底板11とを固定的に取付けて強固な箱枠状の基台４を形成し、その基台４の前後面に前後一対の響板5,6を取付けている。
【００２２】
響板5,6は、基台４を構成する天板９やバスバー10や底板11の板厚よりも薄い板厚で形成することで、基台４に対して振動可能な状態にしている。なお、前側の響板５は前方中央に向けて凸状に湾曲させており、後側の響板６は後方中央に向けて凸状に湾曲させている。
【００２３】
これにより、エンクロージャ３は、基台４に基台４よりも薄い板厚の前後一対の響板5,6を設けるとともに、前後一対の響板5,6の間に音道孔14を有するバスバー10を介設した構成となっており、バスバー10によって前後一対の響板5,6を有するエンクロージャ３の内部空間を前後一対の響板5,6を有する上側の第１音響空間18と第２音響空間19とに区画している。
【００２４】
第１音響空間18には、前後一対の響板5,6の間に矩形枠状のバスリブ20,21を上下に間隔をあけて取付けている。
【００２５】
各バスリブ20,21は、前側の響板５に接するリブ部と後側の響板６に接するリブ部との間に前後に伸延させた魂柱22,23を取付けている。これにより、第１音響空間18の内部において前後一対の響板5,6を魂柱22,23を介して接続している。
【００２６】
また、上下のバスリブ20,21の前側中央部間に矩形枠状のバッフル支持体24を取付け、バッフル支持体24の前面に矩形板状のバッフル板25を取付けている。バッフル板25は、中央に丸孔状のスピーカー孔26を形成して、スピーカーユニット２を取付けている。このバッフル板25は、前側の響板５に形成した開口に挿通させている。
【００２７】
第２音響空間19には、前後一対の響板5,6の間に矩形枠状のバスリブ27を取付けている。
【００２８】
バスリブ27は、前側の響板５に接するリブ部と後側の響板６に接するリブ部との間に前後に伸延させた魂柱28を取付けている。これにより、第２音響空間19の内部において前後一対の響板5,6を魂柱28を介して接続している。
【００２９】
エンクロージャ３の底部には、脚体29を設けて、底板11のダクト孔16を開放している。
【００３０】
脚体29は、エンクロージャ３のダクト孔16の左右側部と後部とに矩形板状の脚板30,31,32を設けるとともに、左右の脚板30,31と後の脚板32との上端部に支持板33,34を設けている。
【００３１】
これにより、脚体29は、左右及び後の脚板30,31,32によってエンクロージャ３のダクト孔16から放出された音を前側へ向けて放出するようにしている。
【００３２】
スピーカーシステム１は、以上に説明したように構成しており、第１音響空間18に設けられたスピーカーユニット２から発せられた低音を第１音響空間18及び第２音響空間19の内部で一対の響板5,6を用いて共鳴させて、第２音響空間19に設けられたダクト孔16から放出するようにしている。これにより、スピーカーシステム１は、ダブルバスレフ型となっている。
【００３３】
以上に説明したように、上記スピーカーシステム１は、基台４に基台４よりも薄い板厚の一対の響板5,6を設けてエンクロージャ３を形成するとともに、一対の響板5,6の間に音道孔14を有するバスバー10を介設した構成となっている。
【００３４】
そのため、上記構成のスピーカーシステム１では、一対の響板5,6を有する第１音響空間18及び第２音響空間19で低音を共鳴させることができ、これにより、低音の共鳴作用を大きくして、低音の音圧を高くすることができるので、高音から低音まで違和感なく豊かに響かせることができる。
【００３５】
また、上記スピーカーシステム１は、第１音響空間18又は／及び第２音響空間19において一対の響板5,6を魂柱22,23,28を介して接続した構成となっている。
【００３６】
そのため、上記構成のスピーカーシステム１では、一対の響板5,6を接続する魂柱22,23,28の作用によって一対の響板5,6を協働させることができ、低音の共鳴作用をより一層増大させることができる。
【００３７】
さらに、上記スピーカーシステム１は、スピーカーユニット２を基台４にバッフル板25を介して取付けた構成となっている。
【００３８】
そのため、上記構成のスピーカーシステム１では、スピーカーユニット２のコーン紙の振動を妨げることなくスピーカーユニット２から発せられた低音をエンクロージャ３の内部へと導くことができる。
【符号の説明】
【００３９】
１  スピーカーシステム                ２  スピーカーユニット
３  エンクロージャ                    ４  基台
5,6  響板                             7,8  側板
９  天板                              10  バスバー
11  底板                              12,13  補強板
14  音道孔                            15  ダクト
16  ダクト孔                          17  ダクト
18  第１音響空間                      19  第２音響空間
20,21  バスリブ                       22,23  魂柱
24  バッフル支持体                    25  バッフル板
26  スピーカー孔                      27  バスリブ
28  魂柱                              29  脚体
30,31,32  脚板                        33,34  支持板 
【図１】
0005860295.tif 000002
【図２】
0005860295.tif 000003
【図３】
0005860295.tif 000004
【図４】
0005860295.tif 000005